(57)【要約】【課題】ユーザによる画像形成装置の占有を抑制することが可能な画像形成システム、携帯型設定装置、及びコンピュータプログラムを提供する。【解決手段】  画像形成システム１は、画像形成装置２と、携帯型設定装置３とを備えている。画像形成装置２及び携帯型設定装置３のそれぞれは、近距離無線通信用の通信インタフェースを備えている。ユーザは、携帯型設定装置３にジョブの設定情報を入力する。ジョブを実行させる場合には、ユーザが画像形成装置２へ移動して、携帯型設定装置３を画像形成装置にかざす。これにより画像形成装置２と携帯型設定装置３との間で近接無線通信の接続が確立され、携帯型設定装置３から画像形成装置に設定情報が送信され、画像形成装置２においてジョブが開始される。【選択図】図１
2015007857.tif 000002
【特許請求の範囲】
【請求項１】
記録媒体に画像を形成する画像形成装置と、前記画像形成装置を設定するための携帯型設定装置とを備える画像形成システムであって、
前記携帯型設定装置は、
前記画像形成装置の設定に関する設定情報を入力するための入力部と、
前記入力部によって入力を受け付けた前記設定情報を記憶する記憶部と、
第１近距離無線通信部と、
を具備し、
前記画像形成装置は、第２近距離無線通信部を具備し、
前記第１近距離無線通信部は、前記第２近距離無線通信部と通信可能な状態になった場合に、前記記憶部に記憶された前記設定情報を送信するように構成されており、
前記第２近距離無線通信部は、前記第１近距離無線通信部と通信可能な状態になった場合に、前記第１近距離無線通信部から送信された前記設定情報を受信するように構成されており、
前記画像形成装置は、前記第２近距離無線通信部が前記設定情報を受信した場合に、受信された前記設定情報に基づいて、記録媒体への画像の形成を開始するように構成されている、
画像形成システム。
【請求項２】
前記記憶部は、ユーザ認証に用いられる認証情報をさらに記憶しており、
前記画像形成装置は、前記認証情報に基づくユーザ認証を行うユーザ認証部をさらに具備し、
前記第１近距離無線通信部は、前記第２近距離無線通信部と通信可能な状態になった場合に、前記記憶部に記憶された前記認証情報を送信するように構成されており、
前記第２近距離無線通信部は、前記第１近距離無線通信部と通信可能な状態になった場合に、前記第１近距離無線通信部から送信された前記認証情報を受信し、受信された前記認証情報に基づいて前記ユーザ認証部によるユーザ認証が成功したときに、ユーザ認証の成功を通知するためのユーザ認証成功通知情報を送信するように構成されており、
前記第１近距離無線通信部は、前記第２近距離無線通信部から送信された前記ユーザ認証成功通知情報を受信した場合に、前記記憶部に記憶された前記設定情報を送信するように構成されている、
請求項１に記載の画像形成システム。
【請求項３】
前記携帯型設定装置は、前記第１近距離無線通信部よりも通信速度が速い第３無線通信部をさらに具備し、
前記画像形成装置は、前記第２近距離無線通信部よりも通信速度が速い第４無線通信部をさらに具備し、
前記第３無線通信部は、前記第２近距離無線通信部から送信された前記ユーザ認証成功通知情報が前記第１近距離無線通信部によって受信された場合であって、前記第３無線通信部が前記第４無線通信部と通信可能な状態になったときに、前記記憶部に記憶された前記設定情報を送信するように構成されており、
前記第４無線通信部は、前記第３無線通信部と通信可能な状態になった場合に、前記第３無線通信部から送信された前記設定情報を受信するように構成されており、
前記画像形成装置は、前記第４無線通信部が前記設定情報を受信した場合に、受信された前記設定情報に基づいて、記録媒体への画像の形成を開始するように構成されている、
請求項２に記載の画像形成システム。
【請求項４】
前記入力部は、原稿の画像を記録媒体である記録用紙に形成する場合において、記録用紙の１頁当たりに原稿何頁分の画像を形成するかを示すページ集約設定情報を含む前記設定情報を入力可能に構成されている、
請求項１乃至３の何れかに記載の画像形成システム。
【請求項５】
前記入力部は、原稿の画像を記録媒体である記録用紙に形成する場合において、記録用紙の片面又は両面の何れに原稿の画像を形成するかを示す片面−両面設定情報を含む前記設定情報を入力可能に構成されている、
請求項１乃至４の何れかに記載の画像形成システム。
【請求項６】
前記入力部は、複数色を有する画像を記録媒体に形成する場合において、記録媒体に形成する画像を単色とするか複数色とするかを示す色設定情報を含む前記設定情報を入力可能に構成されている、
請求項１乃至５の何れかに記載の画像形成システム。
【請求項７】
記録媒体に画像を形成する画像形成装置を設定するための携帯型設定装置であって、
前記画像形成装置の設定に関する設定情報を入力するための入力部と、
前記入力部によって入力を受け付けた前記設定情報を記憶する記憶部と、
第１近距離無線通信部と、
を備え、
前記第１近距離無線通信部は、前記画像形成装置に設けられた第２近距離無線通信部と通信可能な状態になった場合に、前記記憶部に記憶された前記設定情報に基づいて、前記画像形成装置に記録媒体への画像の形成を開始させるために、前記設定情報を送信するように構成されている、
携帯型設定装置。
【請求項８】
入力部と、記憶部と、第１近接無線通信部とを備える携帯型情報端末に、記録媒体に画像を形成する画像形成装置の設定を行わせるためのコンピュータプログラムであって、
前記携帯型情報端末に、
前記画像形成装置の設定に関する設定情報の入力を前記入力部によって受け付けるステップと、
前記入力部によって入力を受け付けた前記設定情報を前記記憶部に記憶するステップと、
前記第１近接無線通信部が前記画像形成装置に設けられた第２近距離無線通信部と通信可能な状態になった場合に、前記記憶部に記憶された前記設定情報に基づいて、前記画像形成装置に記録媒体への画像の形成を開始させるために、前記設定情報を前記第１近接無線通信部によって送信するステップと、
を実行させる、
コンピュータプログラム。
【発明の詳細な説明】
【技術分野】
【０００１】
本発明は、原稿から画像を読み取り、読み取られた画像を記録媒体に形成する画像形成システム、当該画像形成システムに使用される携帯型設定装置及びコンピュータプログラムに関する。
【背景技術】
【０００２】
従来、複写機及びデジタル複合機等の画像形成装置が知られている。かかる画像形成装置は、複数のユーザによって使用される場合がある。
【０００３】
画像形成装置を使用する場合には、片面印刷／両面印刷設定、モノクロ印刷／カラー印刷設定等の各種設定、及び画像形成の開始の指示等の作業を行うに当たって、ユーザが画像形成装置を操作する必要がある。このような画像形成装置の操作が行われている間は、１人のユーザによって画像形成装置が占有されるため、他のユーザの利用を妨げるという問題がある。
【０００４】
特許文献１には、ユーザが画像形成装置を操作して設定を行った後に、設定情報を含むＱＲコード（登録商標）を画像形成装置の表示部に表示し、ユーザが携帯端末によってこのＱＲコードを撮像し、携帯端末においてＱＲコードを設定情報に変換して記憶する画像形成システムが開示されている。かかる特許文献１に開示された画像形成システムでは、次回から同じ設定で画像を形成する場合に、携帯端末から赤外線通信により設定情報を画像形成装置へ送信し、前記設定情報にしたがって画像形成装置により画像形成のジョブが実行される。
【先行技術文献】
【特許文献】
【０００５】
【特許文献１】特開２００７−３６４０４号公報
【発明の概要】
【発明が解決しようとする課題】
【０００６】
画像形成装置の設定は、どのような原稿であるか（原稿サイズは何か、モノクロかカラーか、印刷されているのは片面か両面か等）、印刷物の使用目的は何か等によって様々である。しかしながら、特許文献１に開示されている画像形成システムにあっては、少なくとも一度使用された設定情報しか携帯端末から画像形成装置へ送信することができず、前回以前とは異なる設定により画像形成を行う場合には、ユーザが画像形成装置を操作する必要があり、この間当該ユーザによって画像形成装置が占有されるという問題があった。
【０００７】
本発明は斯かる事情に鑑みてなされたものであり、その主たる目的は、上記課題を解決することができる画像形成システム、携帯型設定装置、及びコンピュータプログラムを提供することにある。
【課題を解決するための手段】
【０００８】
上述した課題を解決するために、本発明の一の態様の画像形成システムは、記録媒体に画像を形成する画像形成装置と、前記画像形成装置を設定するための携帯型設定装置とを備える画像形成システムであって、前記携帯型設定装置は、前記画像形成装置の設定に関する設定情報を入力するための入力部と、前記入力部によって入力を受け付けた前記設定情報を記憶する記憶部と、第１近距離無線通信部と、を具備し、前記画像形成装置は、第２近距離無線通信部を具備し、前記第１近距離無線通信部は、前記第２近距離無線通信部と通信可能な状態になった場合に、前記記憶部に記憶された前記設定情報を送信するように構成されており、前記第２近距離無線通信部は、前記第１近距離無線通信部と通信可能な状態になった場合に、前記第１近距離無線通信部から送信された前記設定情報を受信するように構成されており、前記画像形成装置は、前記第２近距離無線通信部が前記設定情報を受信した場合に、受信された前記設定情報に基づいて、記録媒体への画像の形成を開始するように構成されている。
【０００９】
この態様において、前記記憶部は、ユーザ認証に用いられる認証情報をさらに記憶しており、前記画像形成装置は、前記認証情報に基づくユーザ認証を行うユーザ認証部をさらに具備し、前記第１近距離無線通信部は、前記第２近距離無線通信部と通信可能な状態になった場合に、前記記憶部に記憶された前記認証情報を送信するように構成されており、前記第２近距離無線通信部は、前記第１近距離無線通信部と通信可能な状態になった場合に、前記第１近距離無線通信部から送信された前記認証情報を受信し、受信された前記認証情報に基づいて前記ユーザ認証部によるユーザ認証が成功したときに、ユーザ認証の成功を通知するためのユーザ認証成功通知情報を送信するように構成されており、前記第１近距離無線通信部は、前記第２近距離無線通信部から送信された前記ユーザ認証成功通知情報を受信した場合に、前記記憶部に記憶された前記設定情報を送信するように構成されていてもよい。
【００１０】
また、上記態様において、前記携帯型設定装置は、前記第１近距離無線通信部よりも通信速度が速い第３無線通信部をさらに具備し、前記画像形成装置は、前記第２近距離無線通信部よりも通信速度が速い第４無線通信部をさらに具備し、前記第３無線通信部は、前記第２近距離無線通信部から送信された前記ユーザ認証成功通知情報が前記第１近距離無線通信部によって受信された場合であって、前記第３無線通信部が前記第４無線通信部と通信可能な状態になったときに、前記記憶部に記憶された前記設定情報を送信するように構成されており、前記第４無線通信部は、前記第３無線通信部と通信可能な状態になった場合に、前記第３無線通信部から送信された前記設定情報を受信するように構成されており、前記画像形成装置は、前記第４無線通信部が前記設定情報を受信した場合に、受信された前記設定情報に基づいて、記録媒体への画像の形成を開始するように構成されていてもよい。
【００１１】
また、上記態様において、前記入力部は、原稿の画像を記録媒体である記録用紙に形成する場合において、記録用紙の１頁当たりに原稿何頁分の画像を形成するかを示すページ集約設定情報を含む前記設定情報を入力可能に構成されていてもよい。
【００１２】
また、上記態様において、前記入力部は、原稿の画像を記録媒体である記録用紙に形成する場合において、記録用紙の片面又は両面の何れに原稿の画像を形成するかを示す片面−両面設定情報を含む前記設定情報を入力可能に構成されていてもよい。
【００１３】
また、上記態様において、前記入力部は、複数色を有する画像を記録媒体に形成する場合において、記録媒体に形成する画像を単色とするか複数色とするかを示す色設定情報を含む前記設定情報を入力可能に構成されていてもよい。
【００１４】
また、本発明の一の態様の携帯型設定装置は、記録媒体に画像を形成する画像形成装置を設定するための携帯型設定装置であって、前記画像形成装置の設定に関する設定情報を入力するための入力部と、前記入力部によって入力を受け付けた前記設定情報を記憶する記憶部と、第１近距離無線通信部と、を備え、前記第１近距離無線通信部は、前記画像形成装置に設けられた第２近距離無線通信部と通信可能な状態になった場合に、前記記憶部に記憶された前記設定情報に基づいて、前記画像形成装置に記録媒体への画像の形成を開始させるために、前記設定情報を送信するように構成されている。
【００１５】
また、本発明の一の態様のコンピュータプログラムは、入力部と、記憶部と、第１近接無線通信部とを備える携帯型情報端末に、記録媒体に画像を形成する画像形成装置の設定を行わせるためのコンピュータプログラムであって、前記携帯型情報端末に、前記画像形成装置の設定に関する設定情報の入力を前記入力部によって受け付けるステップと、前記入力部によって入力を受け付けた前記設定情報を前記記憶部に記憶するステップと、前記第１近接無線通信部が前記画像形成装置に設けられた第２近距離無線通信部と通信可能な状態になった場合に、前記記憶部に記憶された前記設定情報に基づいて、前記画像形成装置に記録媒体への画像の形成を開始させるために、前記設定情報を前記第１近接無線通信部によって送信するステップと、を実行させる。
【発明の効果】
【００１６】
本発明に係る画像形成システム、携帯型設定装置、及びコンピュータプログラムによれば、ユーザによる画像形成装置の占有を抑制することが可能となる。
【図面の簡単な説明】
【００１７】
【図１】実施の形態に係る画像形成システムの全体構成を示す模式図。
【図２】画像形成装置の構成を示すブロック図。
【図３】携帯型撮像装置の構成を示すブロック図。
【図４】ジョブ設定処理の手順を示すフローチャート。
【図５】ジョブ指定画面を示す図。
【図６】コピージョブ設定処理の手順を示すフローチャート。
【図７Ａ】ページ集約設定画面を示す図。
【図７Ｂ】モノクロ／カラー印刷設定画面を示す図。
【図７Ｃ】片面／両面印刷設定画面を示す図。
【図７Ｄ】片面／両面原稿設定画面を示す図。
【図８】設定確認画面を示す図。
【図９】プリントジョブ設定処理の手順を示すフローチャート。
【図１０】ファイリングジョブ設定処理の手順を示すフローチャート。
【図１１】イメージ送信ジョブ設定処理の手順を示すフローチャート。
【図１２】ジョブ実行準備完了画面を示す図。
【図１３Ａ】ジョブ実行指示処理の手順を示すフローチャート（前半）。
【図１３Ｂ】ジョブ実行指示処理の手順を示すフローチャート（後半）。
【図１４Ａ】ジョブ実行処理の手順を示すフローチャート（前半）。
【図１４Ｂ】ジョブ実行処理の手順を示すフローチャート（後半）。
【発明を実施するための最良の形態】
【００１８】
以下、本発明の好ましい実施の形態を、図面を参照しながら説明する。
【００１９】
[画像形成システムの構成］
図１は、本実施の形態に係る画像形成システムの全体構成を示す模式図である。
【００２０】
本実施の形態に係る画像形成システム１は、画像形成装置２と、携帯型設定装置３とを備えている。また、画像形成装置２は、ＬＡＮ(Local Area Network)に接続されており、当該ＬＡＮに接続されたコンピュータ４との間でデータ通信が可能である。
【００２１】
画像形成装置２は、原稿から画像を読み取り、読み取られた画像を記録媒体である記録用紙に形成（印刷）することが可能である。さらに具体的には、画像形成装置２は、コピー、プリント、イメージ送信、ファイリング等の複数種類のジョブを実行可能なデジタル複合機である。
【００２２】
携帯型設定装置３は、画像形成装置２のユーザによって携行される。かかる携帯型設定装置３は、ユーザから画像形成装置２のジョブの設定情報の入力を受け付け、入力された設定情報を記憶することが可能である。また、携帯型設定装置３は、ユーザが画像形成装置２に携帯型設定装置３を近づける（かざす）ことで、画像形成装置２へと設定情報を送信し、画像形成装置２に対して、前記設定情報にしたがったコピー、プリント等のジョブの実行を開始させることが可能である。
【００２３】
画像形成システム１を使用するユーザは、例えば自席など画像形成装置２から離れた場所で、携帯型設定装置３にジョブの設定情報を入力しておき、ジョブを実行するときに、画像形成装置２の設置場所まで移動して画像形成装置２に携帯型設定装置３をかざす。このとき、原稿が必要なコピージョブ、イメージ送信ジョブ、ファイリングジョブを実行するのであれば、ユーザは原稿を画像形成装置２にセットする。画像形成装置２は、携帯型設定装置３から設定情報を受信して、自動的にジョブの実行を開始する。ユーザは、画像形成装置２の設置場所に移動した後即座に画像形成装置２にジョブを実行させることができ、記録用紙に画像を形成した印刷物を短時間で得ることができる。
【００２４】
＜画像形成装置２の構成＞
図２は、画像形成装置２の構成を示すブロック図である。画像形成装置２は、制御部２１と、画像読取ユニット２２と、自動原稿送りユニット２３と、画像形成ユニット２４と、第１通信インタフェース（第２近距離無線通信部）２５と、第２通信インタフェース（第４無線通信部）２６と、第３通信インタフェース２７と、入力部２８と、表示部２９とを備えている。
【００２５】
制御部２１は、ＣＰＵ及びメモリ等によって構成されている。かかる制御部２１は、制御用プログラムを実行することによって、画像読取ユニット２２、自動原稿送りユニット２３、及び画像形成ユニット２４を制御する。
【００２６】
また、制御部２１は、ハードディスク２１ａを備えている。ハードディスク２１ａには、当該画像形成装置２にユーザがログインするときに使用される認証情報データベース２１ｂが設けられている。認証情報データベース２１ａには、各ユーザの認証情報が登録されており、それぞれの認証情報には、ユーザ名及びパスワードが含まれている。
【００２７】
画像読取ユニット２２は、原稿から画像を読み取るためのものであり、原稿台ガラスと、光源部と、ミラー及び集光レンズ等からなる光学システムと、ＣＣＤ等の受光素子とを備えている。光源部から発せられた光は原稿台ガラス上に配置された原稿に照射され、原稿からの反射光が光学システムによって受光素子に導かれる。受光素子では受光強度に応じた電気信号である画像信号が出力される。
【００２８】
自動原稿送りユニット２３は、複数枚の原稿を載置することが可能であり、載置された原稿を取り込んで、画像読取ユニット２２による読取位置へと供給する。読取位置を通過した原稿は、自動原稿送りユニット２３に設けられた排出トレイ上に排出される。
【００２９】
画像形成ユニット２４は、感光体ドラム、帯電器、露光装置、現像装置、転写装置、定着装置、給紙トレイ等を具備している。かかる画像形成ユニット２４においては次のようにして画像が記録用紙に形成される。まず、帯電器によって帯電された感光体ドラムの表面を、画像読取ユニット２２によって読み取られた画像に応じて露光装置が露光することで、感光体ドラムの表面に静電潜像が形成される。次に、現像装置が、感光体ドラムに形成された静電潜像をトナーにより現像する。このようにして感光体ドラムに形成されたトナー像が転写装置に設けられた転写ベルト上に転写され、さらに転写ベルト上のトナー像が給紙トレイから供給された記録用紙上に転写される。記録用紙が定着装置によって加熱されることにより、記録用紙に形成されたトナー像が溶融及び混合され、同時に記録用紙に対してトナー像が圧接される。トナー像が定着された後の記録用紙は、所定の排紙トレイ上に排出される。
【００３０】
第１通信インタフェース２５は、近距離無線通信(NFC: Near Field Communication)用の通信インタフェースであり、ＩＳＯ／ＩＥＣ  １８０９２規格にしたがったものである。第１通信インタフェース２５の通信速度は、数１００ｋｂｐｓ程度である。また、第１通信インタフェース２５の通信エリアは、数ｃｍ乃至１ｍ程度である。画像形成装置２は、第１通信インタフェース２５と同一規格にしたがった近距離無線通信インタフェースを備える機器が前記通信エリア内に進入した場合（つまり、当該機器が画像形成装置２にかざされた場合）に、第１通信インタフェース２５を介して当該機器とデータ通信が可能である。
【００３１】
第２通信インタフェース２６は、高速無線通信用の通信インタフェースであり、例えばＩＥＥＥ  ８０２．１１（Ｗｉ−ｆｉ）、同８０２．１５．１（Ｂｌｕｅｔｏｏｔｈ(登録商標)）等の規格にしたがったものである。第２通信インタフェース２６の通信速度は、数Ｍｂｐｓ以上である。また、第２通信インタフェース２６の通信エリアは、概ね１００ｍ以内である。画像形成装置２は、第２通信インタフェース２６と同一規格にしたがった無線通信インタフェースを備える機器が前記通信エリア内にある場合に、第２通信インタフェース２６を介して当該機器とデータ通信が可能である。
【００３２】
第３通信インタフェース２７は、有線通信用の通信インタフェースであり、例えばＩＥＥＥ  ８０２．３ｉ、同８０２．３ｕ、同８０２．３ａｂ等の規格にしたがったものである。画像形成装置２は、かかる第３通信インタフェース２７を介してＬＡＮに接続されており、コンピュータ４との間で第３通信インタフェース２７を介してデータ通信を行うことが可能となっている。
【００３３】
表示部２９は液晶パネルによって構成されており、入力部２８はタッチパッドによって構成されている。表示部２９の上に入力部２８が重ねられており、表示部２９と入力部２８とでタッチパネルが構成されている。
【００３４】
＜携帯型設定装置３の構成＞
次に、携帯型設定装置３の構成について説明する。図３は、携帯型撮像装置３の構成を示すブロック図である。携帯型撮像装置３は、多機能携帯電話機（スマートフォン）、ＰＤＡ(Personal Digital Assistant)、タブレットコンピュータ等の携帯情報端末３０によって実現される。図３に示すように、携帯情報端末３０は、ＣＰＵ３１ａ、ＲＯＭ３１ｂ、ＲＡＭ（主記憶装置）３１ｃ、フラッシュメモリからなる補助記憶装置（記憶部）３１ｄ、入出力インタフェース３１ｅ、第１通信インタフェース（第１近距離無線通信部）３１ｆ、第２通信インタフェース（第３無線通信部）３１ｇ、画像出力インタフェース３１ｈ、表示部３２、及び入力部３３を備えている。ＣＰＵ３１ａ、ＲＯＭ３１ｂ、ＲＡＭ３１ｃ、補助記憶装置３１ｄ、入出力インタフェース３１ｅ、第１通信インタフェース３１ｆ、第２通信インタフェース３１ｇ、及び画像出力インタフェース３１ｈは、データ伝送用のバス３１ｊによって接続されている。
【００３５】
第１通信インタフェース３１ｆは、近距離無線通信用の通信インタフェースであり、ＩＳＯ／ＩＥＣ  １８０９２規格にしたがったものである。第１通信インタフェース３１ｆの構成は、画像形成装置２の第１通信インタフェース２５の構成と同様であるので、その説明を省略する。
【００３６】
第２通信インタフェース３１ｇは、高速無線通信用の通信インタフェースであり、例えばＩＥＥＥ  ８０２．１１（Ｗｉｆｉ）、同８０２．１５．１（Ｂｌｕｅｔｏｏｔｈ）等の規格にしたがったものである。第２通信インタフェース３１ｇの構成は、画像形成装置２の第２通信インタフェース２６の構成と同様であるので、その説明を省略する。
【００３７】
表示部３２は液晶パネルによって構成されており、入力部３３はタッチパッドによって構成されている。表示部３２の上に入力部３３が重ねられており、表示部３２と入力部３３とでタッチパネルが構成されている。表示部３２は、画像出力インタフェース３１ｈに接続されており、入力部３３は入出力インタフェース３１ｅに接続されている。
【００３８】
補助記憶装置３１ｄには、当該携帯型設定装置２を使用するユーザの認証情報３４が記憶されている。この認証情報３４は、ユーザ名及びパスワードを含んでおり、画像形成装置２にログインするときのユーザ認証に用いられる。
【００３９】
また、補助記憶装置３１ｄには、携帯情報端末３０を携帯型設定装置３として機能させるためのコンピュータプログラム３５がインストールされている。かかるコンピュータプログラム３５をＣＰＵ３１ａが実行することにより、携帯情報端末３０は、本実施の形態に係る携帯型設定装置３として機能する。
【００４０】
[画像形成システムの動作］
次に、画像形成システムの動作について説明する。
【００４１】
＜ジョブ設定動作＞
まず、携帯型設定装置３によるジョブ設定動作について説明する。ジョブ設定動作は、携帯型設定装置３のＣＰＵ３１ａがジョブ設定処理を実行することにより実現される。図４は、ジョブ設定処理の手順を示すフローチャートである。
【００４２】
ユーザは、ジョブの設定を行う場合、携帯情報端末３０にコンピュータプログラム３５（図３参照）の実行指示を与える。これにより、ＣＰＵ３１ａがコンピュータプログラム３５を実行し、携帯情報端末３０が携帯型設定装置３として機能する。
【００４３】
コンピュータプログラム３５が実行されると、まずＣＰＵ３１ａは、ジョブ指定画面を表示部３２に表示させ、設定対象のジョブの指定を受け付ける（ステップＳ１０１）。
【００４４】
図５は、ジョブ指定画面を示す図である。ジョブ指定画面Ｄ１には、設定対象のジョブを指定するためのコントロール（ＧＵＩコンポーネント）である複数のボタンＣ１１〜Ｃ１４が含まれている。ボタンＣ１１は、コピージョブを指定するためのボタンコントロールであり、ボタンＣ１２は、プリントジョブを指定するためのボタンコントロールであり、ボタンＣ１３は、ファイリングジョブを指定するためのボタンコントロールであり、ボタンＣ１４は、イメージ送信ジョブを指定するためのボタンコントロールである。ボタンＣ１１〜Ｃ１４のそれぞれは、ユーザが入力部３３におけるボタンＣ１１〜Ｃ１４の表示位置を触れる（タップする）ことにより選択可能であり、ボタンＣ１１〜Ｃ１４が選択されることにより、選択されたボタンに対応するジョブが指定される。
【００４５】
図４に示すように、ユーザからのジョブの指定を受け付けると、ＣＰＵ３１ａは、何れのジョブが指定されたかを判別する（ステップＳ１０２）。コピージョブが指定された場合には（ステップＳ１０２において「コピー」）、ＣＰＵ３１ａは、コピージョブ設定処理を実行する（ステップＳ１０３）。また、プリントジョブが指定された場合には（ステップＳ１０２において「プリント」）、ＣＰＵ３１ａは、プリントジョブ設定処理を実行し（ステップＳ１０４）、ファイリングジョブが指定された場合には（ステップＳ１０２において「ファイリング」）、ＣＰＵ３１ａは、ファイリングジョブ設定処理を実行し（ステップＳ１０５）、イメージ送信ジョブが指定された場合には（ステップＳ１０２において「イメージ送信」）、ＣＰＵ３１ａは、イメージ送信ジョブ設定処理を実行する（ステップＳ１０６）。
【００４６】
図６は、コピージョブ設定処理の手順を示すフローチャートである。コピージョブ設定処理において、まずＣＰＵ３１ａは、コピージョブ設定画面を表示部３２に表示させ、コピージョブの設定情報の入力を受け付ける（ステップＳ１１１）。コピージョブ設定画面には、ページ集約設定画面、モノクロ／カラー印刷設定画面、片面／両面印刷設定画面、及び片面／両面原稿設定画面が含まれている。ページ集約設定画面、モノクロ／カラー印刷設定画面、片面／両面印刷設定画面、及び片面／両面原稿設定画面の間で、表示の遷移が可能となっている。例えば、ページ集約設定画面が表示されている状態で、ユーザが入力部３３の表面に指先を滑らせる操作（スワイプ）を行うことによって、モノクロ／カラー印刷設定画面に表示が遷移する。
【００４７】
図７Ａは、ページ集約設定画面を示す図である。ページ集約設定画面Ｄ２には、「ページ集約なし」を選択するためのコントロールであるラジオボタンＣ２１と、「２ｉｎ１」を選択するためのコントロールであるラジオボタンＣ２２と、「４ｉｎ１」を選択するためのコントロールであるラジオボタンＣ２３と、「８ｉｎ１」を選択するためのコントロールであるラジオボタンＣ２４とが設けられている。ラジオボタンＣ２１〜Ｃ２４のそれぞれは、ユーザが入力部３３におけるラジオボタンＣ２１〜Ｃ２４の表示位置を触れることにより選択可能である。かかるラジオボタンＣ２１〜Ｃ２４は、同時に複数を選択することはできず、何れか１つのみを選択することが可能である。なお、「ページ集約なし」は、原稿の１頁を、記録用紙の１頁に印刷する設定を示しており、「２ｉｎ１」は、原稿の２頁を、記録用紙の１頁に印刷する設定を示しており、「４ｉｎ１」は、原稿の４頁を、記録用紙の１頁に印刷する設定を示しており、「８ｉｎ１」は、原稿の８頁を、記録用紙の１頁に印刷する設定を示している。
【００４８】
また、ページ集約設定画面Ｄ２には、設定情報の入力を完了するためのコントロールであるボタンＣ２５が設けられている。
【００４９】
図７Ｂは、モノクロ／カラー印刷設定画面を示す図である。モノクロ／カラー印刷設定画面Ｄ３には、「モノクロ印刷」を選択するためのコントロールであるラジオボタンＣ３１と、「カラー印刷」を選択するためのコントロールであるラジオボタンＣ３２とが設けられている。かかるラジオボタンＣ３１及びＣ３２は、同時に２つを選択することはできず、何れか１つのみを選択することが可能である。なお、「モノクロ印刷」は、原稿の画像を記録用紙に黒単色で印刷する設定を示しており、「カラー印刷」は、原稿の画像を記録用紙にカラーで印刷する設定を示している。
【００５０】
また、モノクロ／カラー印刷設定画面Ｄ３には、ページ集約設定画面Ｄ２（図７Ａ参照）と同様に、設定情報の入力を完了するためのコントロールであるボタンＣ２５が設けられている。
【００５１】
図７Ｃは、片面／両面印刷設定画面を示す図である。片面／両面印刷設定画面Ｄ４には、「片面印刷」を選択するためのコントロールであるラジオボタンＣ４１と、「両面印刷」を選択するためのコントロールであるラジオボタンＣ４２とが設けられている。かかるラジオボタンＣ４１及びＣ４２は、同時に２つを選択することはできず、何れか１つのみを選択することが可能である。なお、「片面印刷」は、原稿の画像を記録用紙の片面に印刷する設定を示しており、「両面印刷」は、原稿の画像を記録用紙の両面に印刷する設定を示している。
【００５２】
また、片面／両面印刷設定画面Ｄ４には、ページ集約設定画面Ｄ２（図７Ａ参照）及びモノクロ／カラー印刷設定画面Ｄ３（図７Ｂ参照）と同様に、設定情報の入力を完了するためのコントロールであるボタンＣ２５が設けられている。
【００５３】
図７Ｄは、片面／両面原稿設定画面を示す図である。片面／両面原稿設定画面Ｄ５には、「片面原稿」を選択するためのコントロールであるラジオボタンＣ５１と、「両面原稿」を選択するためのコントロールであるラジオボタンＣ５２とが設けられている。かかるラジオボタンＣ５１及びＣ５２は、同時に２つを選択することはできず、何れか１つのみを選択することが可能である。「片面原稿」は、原稿の片面を記録用紙に印刷する設定を示しており、「両面原稿」は、原稿の両面を記録用紙に印刷する設定を示している。
【００５４】
また、片面／両面原稿設定画面Ｄ５には、ページ集約設定画面Ｄ２（図７Ａ参照）、モノクロ／カラー印刷設定画面Ｄ３（図７Ｂ参照）、及び片面／両面印刷設定画面Ｄ４（図７Ｃ参照）と同様に、設定情報の入力を完了するためのコントロールであるボタンＣ２５が設けられている。
【００５５】
ユーザは、上記のようなページ集約設定画面Ｄ２、モノクロ／カラー印刷設定画面Ｄ３、片面／両面印刷設定画面Ｄ４、及び片面／両面原稿設定画面Ｄ５により、コピージョブの設定情報を入力すると、ボタンＣ２５を選択して設定情報の入力完了を指示する。
【００５６】
ＣＰＵ３１ａは、設定情報の入力完了の指示を受け付けると、コピージョブ設定画面から設定確認画面に表示部３２の表示を切り替える。
【００５７】
図８は、設定確認画面を示す図である。設定確認画面Ｄ６には、上記のステップＳ１１１において入力を受け付けた設定の内容を示す文字情報が含まれる。また、設定確認画面Ｄ６には、設定情報を確定するためのコントロールであるボタンＣ６１と、設定情報を破棄するためのコントロールであるボタンＣ６２とが設けられている。ユーザは、設定確認画面Ｄ６に表示されている設定内容でコピージョブを実行する場合には、ボタンＣ６１を選択し、設定確認画面Ｄ６に表示されている設定内容でコピージョブを実行しない場合には、ボタンＣ６２を選択する。
【００５８】
図６に示すように、ＣＰＵ３１ａは、ボタンＣ６１が選択されることで、設定情報の確定指示を受け付けたか、ボタンＣ６２が選択されることで、設定情報の破棄の指示を受け付けたかを判別する（ステップＳ１１２）。設定情報の確定指示を受け付けた場合には（ステップＳ１１２において「設定情報確定」）、ＣＰＵ３１ａは、コピージョブを示すジョブモード情報と、入力されたコピージョブの設定情報とを補助記憶装置３１ｄに格納し（ステップＳ１１３）、ジョブ実行準備完了画面を表示部３２に表示させ（ステップＳ１１４）、ジョブ実行準備完了画面を表示させたままの状態で、メインルーチンに処理を戻す。
【００５９】
他方、設定情報の破棄の指示を受け付けた場合には（ステップＳ１１２において「設定情報破棄」）、ＣＰＵ３１ａは、設定情報を補助記憶装置３１ｄに格納することなく設定確認画面を非表示にして、メインルーチンに処理を戻す。
【００６０】
次に、プリントジョブ設定処理について説明する。図９は、プリントジョブ設定処理の手順を示すフローチャートである。プリントジョブ設定処理において、まずＣＰＵ３１ａは、プリントジョブ設定画面を表示部３２に表示させ、プリントジョブの設定情報の入力を受け付ける（ステップＳ１２１）。プリントジョブ設定画面には、ページ集約設定画面、モノクロ／カラー印刷設定画面、及び片面／両面印刷設定画面が含まれている。上述したコピージョブ設定画面と同様に、ページ集約設定画面、モノクロ／カラー印刷設定画面、及び片面／両面印刷設定画面の間では、表示の遷移が可能となっている。
【００６１】
なお、プリントジョブ設定画面におけるページ集約設定画面、モノクロ／カラー印刷設定画面、及び片面／両面印刷設定画面は、上述したコピージョブ設定画面におけるページ集約設定画面Ｄ２（図７Ａ参照）、モノクロ／カラー印刷設定画面Ｄ３（図７Ｂ参照）、及び片面／両面印刷設定画面Ｄ４（図７Ｃ参照）と同様であるので、その説明を省略する。
【００６２】
ユーザは、上記のようなページ集約設定画面、モノクロ／カラー印刷設定画面、及び片面／両面印刷設定画面により、プリントジョブの設定情報を入力すると、設定情報の入力完了を指示する。
【００６３】
ＣＰＵ３１ａは、プリントジョブの設定情報の入力完了の指示を受け付けると、プリントジョブ設定画面から設定確認画面に表示部３２の表示を切り替える。設定確認画面は、上述したコピージョブ設定処理における設定確認画面Ｄ６（図８参照）と同様であるので、その説明を省略する。
【００６４】
ＣＰＵ３１ａは、設定情報の確定指示を受け付けたか、設定情報の破棄の指示を受け付けたかを判別する（ステップＳ１２２）。設定情報の確定指示を受け付けた場合には（ステップＳ１２２において「設定情報確定」）、ＣＰＵ３１ａは、プリントジョブを示すジョブモード情報と、入力されたプリントジョブの設定情報とを補助記憶装置３１ｄに格納する（ステップＳ１２３）。
【００６５】
次に、ＣＰＵ３１ａは、補助記憶装置３１ｄに記憶されている画像又は文書データのうち、印刷する対象の画像又は文書データの選択を受け付ける（ステップＳ１２４）。画像又は文書データの選択を受け付けた後、ＣＰＵ３１ａは、ジョブ実行準備完了画面を表示部３２に表示させ（ステップＳ１２５）、ジョブ実行準備完了画面を表示させたままの状態で、メインルーチンに処理を戻す。
【００６６】
他方、設定情報の破棄の指示を受け付けた場合には（ステップＳ１２２において「設定情報破棄」）、ＣＰＵ３１ａは、設定情報を補助記憶装置３１ｄに格納することなく設定確認画面を非表示にして、メインルーチンに処理を戻す。
【００６７】
次に、ファイリングジョブ設定処理について説明する。図１０は、ファイリングジョブ設定処理の手順を示すフローチャートである。ファイリングジョブ設定処理において、まずＣＰＵ３１ａは、ファイリングジョブ設定画面を表示部３２に表示させ、ファイリングジョブの設定情報の入力を受け付ける（ステップＳ１３１）。ファイリングジョブ設定画面には、ページ集約設定画面、モノクロ／カラー画像設定画面、及び片面／両面原稿設定画面が含まれている。上述したコピージョブ設定画面及びプリントジョブ設定画面と同様に、ページ集約設定画面、モノクロ／カラー画像設定画面、及び片面／両面原稿設定画面の間では、表示の遷移が可能となっている。
【００６８】
なお、ファイリングジョブ設定画面におけるページ集約設定画面、及び片面／両面原稿設定画面は、上述したコピージョブ設定画面におけるページ集約設定画面Ｄ２（図７Ａ参照）、及び片面／両面原稿設定画面Ｄ５（図７Ｄ参照）と同様であるので、その説明を省略する。
【００６９】
モノクロ／カラー画像設定画面は、生成する画像を、白黒の２値画像、グレースケールの多階調画像、及びカラーの多階調画像の何れとするかの設定情報を入力するための画面である。かかるモノクロ／カラー画像設定画面は、グレースケールを設定可能な他は、モノクロ／カラー印刷設定画面Ｄ３（図７Ｂ参照）と同様である。
【００７０】
ユーザは、上記のようなページ集約設定画面、モノクロ／カラー画像設定画面、及び片面／両面原稿設定画面により、ファイリングジョブの設定情報を入力すると、設定情報の入力完了を指示する。
【００７１】
ＣＰＵ３１ａは、ファイリングジョブの設定情報の入力完了の指示を受け付けると、ファイリングジョブ設定画面から設定確認画面に表示部３２の表示を切り替える。設定確認画面は、上述したコピージョブ設定処理における設定確認画面Ｄ６（図８参照）と同様であるので、その説明を省略する。
【００７２】
ＣＰＵ３１ａは、設定情報の確定指示を受け付けたか、設定情報の破棄の指示を受け付けたかを判別する（ステップＳ１３２）。設定情報の確定指示を受け付けた場合には（ステップＳ１３２において「設定情報確定」）、ＣＰＵ３１ａは、ファイリングジョブを示すジョブモード情報と、入力されたファイリングジョブの設定情報とを補助記憶装置３１ｄに格納する（ステップＳ１３３）。
【００７３】
次にＣＰＵ３１ａは、画像の保存先のフォルダ及び保存ファイルの名称を示す保存先情報の指定を受け付ける（ステップＳ１３４）。補助記憶装置３１ｄには、１又は複数の保存先のフォルダ情報が記憶されている。保存先のフォルダとしては、例えば、コンピュータ４のハードディスク内のフォルダ（保管場所）、画像形成装置２のハードディスク２１ａ内のフォルダ等がある。かかる保存先情報には、保存先のフォルダ及びファイル名を特定するアドレスが含まれている。ステップＳ１３４の処理では、表示部３２に保存先情報を選択するための画面が表示され、ユーザが入力部３３を操作して保存先情報を選択することによって、選択された保存先情報（保存先のフォルダの情報）の指定がＣＰＵ３１ａに与えられる。このとき、ＣＰＵ３１ａによって自動生成されたファイル名が付される。また、ユーザが入力部３３を操作して、保存先情報（保存先のフォルダ名及びファイル名）を示す文字情報を携帯型設定装置３に直接入力することで、保存先情報を指定することも可能である。
【００７４】
保存先情報の選択を受け付けた後、ＣＰＵ３１ａは、ジョブ実行準備完了画面を表示部３２に表示させ（ステップＳ１３５）、ジョブ実行準備完了画面を表示させたままの状態で、メインルーチンに処理を戻す。
【００７５】
他方、設定情報の破棄の指示を受け付けた場合には（ステップＳ１３２において「設定情報破棄」）、ＣＰＵ３１ａは、設定情報を補助記憶装置３１ｄに格納することなく設定確認画面を非表示にして、メインルーチンに処理を戻す。
【００７６】
次に、イメージ送信ジョブ設定処理について説明する。図１１は、イメージ送信ジョブ設定処理の手順を示すフローチャートである。イメージ送信ジョブ設定処理において、まずＣＰＵ３１ａは、イメージ送信ジョブ設定画面を表示部３２に表示させ、イメージ送信ジョブの設定情報の入力を受け付ける（ステップＳ１４１）。イメージ送信ジョブ設定画面には、ページ集約設定画面、モノクロ／カラー画像設定画面、及び片面／両面原稿設定画面が含まれている。上述したコピージョブ設定画面、プリントジョブ設定画面、及びファイリングジョブ設定画面と同様に、ページ集約設定画面、モノクロ／カラー画像設定画面、及び片面／両面原稿設定画面の間では、表示の遷移が可能となっている。
【００７７】
なお、イメージ送信ジョブ設定画面におけるページ集約設定画面、及び片面／両面原稿設定画面は、上述したコピージョブ設定画面におけるページ集約設定画面Ｄ２（図７Ａ参照）、及び片面／両面原稿設定画面Ｄ５（図７Ｄ参照）と同様であり、イメージ送信ジョブ設定画面におけるモノクロ／カラー画像設定画面は、上述したファイリングジョブ設定画面におけるモノクロ／カラー画像設定画面と同様であるので、その説明を省略する。
【００７８】
ユーザは、上記のようなページ集約設定画面、モノクロ／カラー画像設定画面、及び片面／両面原稿設定画面により、イメージ送信ジョブの設定情報を入力すると、設定情報の入力完了を指示する。
【００７９】
ＣＰＵ３１ａは、イメージ送信ジョブの設定情報の入力完了の指示を受け付けると、イメージ送信ジョブ設定画面から設定確認画面に表示部３２の表示を切り替える。設定確認画面は、上述したコピージョブ設定処理における設定確認画面Ｄ６（図８参照）と同様であるので、その説明を省略する。
【００８０】
ＣＰＵ３１ａは、設定情報の確定指示を受け付けたか、設定情報の破棄の指示を受け付けたかを判別する（ステップＳ１４２）。設定情報の確定指示を受け付けた場合には（ステップＳ１４２において「設定情報確定」）、ＣＰＵ３１ａは、イメージ送信ジョブを示すジョブモード情報と、入力されたイメージ送信ジョブの設定情報とを補助記憶装置３１ｄに格納する（ステップＳ１４３）。
【００８１】
次にＣＰＵ３１ａは、画像の送信先のアドレスを示すアドレス情報の指定を受け付ける（ステップＳ１４４）。補助記憶装置３１ｄには、１又は複数のアドレス情報が記憶されている。画像の送信先アドレスとしては、例えば、ファクシミリ番号、及びメールアドレス等がある。ステップＳ１４４の処理では、表示部３２にアドレス情報を選択するための画面が表示され、ユーザが入力部３３を操作してアドレス情報を選択することによって、選択されたアドレス情報の指定がＣＰＵ３１ａに与えられる。また、ユーザが入力部３３を操作して、アドレス情報を示す文字情報を携帯型設定装置３に直接入力することで、アドレス情報を指定することも可能である。
【００８２】
送信先アドレス情報の選択を受け付けた後、ＣＰＵ３１ａは、ジョブ実行準備完了画面を表示部３２に表示させ（ステップＳ１４５）、ジョブ実行準備完了画面を表示させたままの状態で、メインルーチンに処理を戻す。
【００８３】
他方、設定情報の破棄の指示を受け付けた場合には（ステップＳ１４２において「設定情報破棄」）、ＣＰＵ３１ａは、設定情報を補助記憶装置３１ｄに格納することなく設定確認画面を非表示にして、メインルーチンに処理を戻す。
【００８４】
上述したコピージョブ設定処理、プリントジョブ設定処理、ファイリングジョブ設定処理、又はイメージ送信ジョブ設定処理が終了した後、ＣＰＵ３１ａは、ジョブ設定処理を終了する（図４）。このとき、ジョブ実行準備完了画面が表示部３２に表示されている場合には、ＣＰＵ３１ａは、ジョブ実行準備完了画面を表示させたままの状態で、ジョブ設定処理を終了する。
【００８５】
図１２は、ジョブ実行準備完了画面を示す図である。ジョブ実行準備完了画面Ｄ７には、「複合機にかざしてください。」及び「※かざすだけで自動実行されます。」の文字情報が含まれている。かかるジョブ実行準備完了画面を確認したユーザは、携帯型設定装置３を携帯した状態で画像形成装置２まで移動して、以下に説明するように画像形成装置３にジョブを実行させる。
【００８６】
＜ジョブ実行動作＞
以下、本実施の形態に係る画像形成システム１によるジョブ実行動作について説明する。ジョブ実行動作は、携帯型設定装置３のＣＰＵ３１ａがジョブ実行指示処理を実行し、画像形成装置２の制御部２１がジョブ実行処理を実行することにより実現される。
【００８７】
図１３Ａ及び図１３Ｂは、ジョブ実行指示処理の手順を示すフローチャートである。
【００８８】
ジョブの実行を指示する場合、ユーザはジョブ準備実行完了画面Ｄ７（図１２参照）が表示されている携帯型設定装置３を画像形成装置２にかざす。画像形成装置２（図２参照）と携帯型設定装置３（図３参照）とが近接し、お互いに第１通信インタフェース２５，３１ｆの通信エリア内に入ると、第１通信インタフェース２５，３１ｆがお互いを通信可能機器として検出する。第１通信インタフェース２５，３１ｆがお互いに検出されると、第１通信インタフェース２５，３１ｆ間で接続要求データ及び応答データが通信され、第１通信インタフェース２５，３１ｆ間の接続が確立される。
【００８９】
また、上述したジョブ実行指示処理において、コピージョブ、ファイリングジョブ、又はイメージ送信ジョブの設定情報がユーザから入力された場合には、ユーザは、携帯型設定装置３を画像形成装置２にかざすために画像形成装置２の設置位置に移動したときに、ジョブの実行に使用される原稿を、画像形成装置２の画像読取ユニット２２の原稿台ガラス又は自動原稿送りユニット２３に載置する（図２参照）。
【００９０】
図１３Ａに示すように、ジョブ実行指示処理において、まずＣＰＵ３１ａは、第１通信インタフェース２５，３１ｆ間の接続が確立したか否かを判別する（ステップＳ２０１）。第１通信インタフェース２５，３１ｆ間の接続が確立していない場合には（ステップＳ２０１においてＮＯ）、ＣＰＵ３１ａは、処理をステップＳ２０１へ戻し、接続が確立するまでステップＳ２０１の処理を繰り返す。
【００９１】
第１通信インタフェース２５，３１ｆ間の接続が確立した場合には（ステップＳ２０１においてＹＥＳ）、ＣＰＵ３１ａは、画像形成装置２と通信中であることを示すメッセージを表示部３２に表示させ（ステップＳ２０２）、補助記憶装置３１ｄに記憶されている認証情報３４（図３参照）を第１通信インタフェース３１ｆに送信させる（ステップＳ２０３）。
【００９２】
画像形成装置２において、認証情報３４を用いたユーザ認証が成功すると、認証成功情報が第１通信インタフェース２５から送信される。また、画像形成装置２において、認証情報３４を用いたユーザ認証が失敗すると、認証失敗情報が第１通信インタフェース２５から送信される。ＣＰＵ３１ａは、第１通信インタフェース３１ｆが認証成功情報を受信したか、認証失敗情報を受信したかを判別し（ステップＳ２０４）、認証失敗情報が受信された場合には（ステップＳ２０４においてＮＯ）、処理をステップＳ２０５へ移す。ステップＳ２０５では、ＣＰＵ３１ａが表示部３２にエラー画面を表示させ（ステップＳ２０５）、ジョブ実行指示処理を終了する。
【００９３】
他方、第１通信インタフェース３１ｆが認証成功情報を受信すると（ステップＳ２０４においてＹＥＳ）、ＣＰＵ３１ａは、高速無線通信が可能か否かの問合せ情報を第１通信インタフェース３１ｆに送信させ、画像形成装置２に高速無線通信が可能か否かを問い合わせる（ステップＳ２０６）。
【００９４】
画像形成装置２において、高速無線通信が可能である場合、即ち、画像形成装置２が高速無線通信用の第２通信インタフェース２６を備えている場合には（図２参照）、画像形成装置２の第１通信インタフェース２５から高速無線通信を許可する許可情報が送信される。また、画像形成装置２において、高速無線通信が不可能である場合、即ち、画像形成装置２が高速無線通信用の第２通信インタフェース２６を備えていない場合には、画像形成装置２の第１通信インタフェース２５から高速無線通信を拒否する拒否情報が送信される。
【００９５】
図１３Ｂに示すように、ＣＰＵ３１ａは、第１通信インタフェース３１ｆが許可情報を受信したか、拒否情報を受信したかを判別する（ステップＳ２０７）。画像形成装置２は、第１通信インタフェース２５から許可情報を送信した場合には、高速無線通信用の接続情報（ＳＳＩＤ、ＩＰアドレス、パスワード等）を引き続き第１通信インタフェース２５から送信する。ステップＳ２０７において許可情報が受信された場合には（ステップＳ２０７においてＹＥＳ）、携帯型設定装置３の第１通信インタフェース３１ｆが高速無線通信用の接続情報を受信する（ステップＳ２０８）。ＣＰＵ３１ａは、受信した接続情報を用いて第２通信インタフェース３１ｇ（図３参照）を設定し、第２通信インタフェース３１ｇに高速無線通信のアドホック接続要求を送信させ、画像形成装置２との間で高速無線通信接続を確立させる（ステップＳ２０９）。第１通信インタフェース２５，３１ｆの通信エリアよりも、第２通信インタフェース２６，３１ｇの通信エリアの方が広いため、第１通信インタフェース２５，３１ｆが通信可能状態となっている場合には、第２通信インタフェース２６，３１ｇがそれぞれの通信エリア内に入っている。このため、アドホック接続が確立すると、第２通信インタフェース２６，３１ｇ間で高速無線通信が可能となる。
【００９６】
次にＣＰＵ３１ａは、補助記憶装置３１ｄ（図３参照）に記憶されているジョブモード情報及び設定情報を、高速無線通信によって画像形成装置２へ送信する（ステップＳ２１０）。つまり、ステップＳ２１０の処理では、ジョブモード情報及び設定情報が、第２通信インタフェース３１ｇから送信される。また、入力された設定情報がプリントジョブの設定情報である場合（つまり、補助記憶装置３１ｄに記憶されているジョブモード情報がプリントジョブを示すものである場合）、ＣＰＵ３１ａは、ステップＳ２１０の処理において、ジョブモード情報及び設定情報とともに、印刷対象として選択された画像又は文書データを第２通信インタフェース３１ｇに送信させる。
【００９７】
次にＣＰＵ３１ａは、ジョブモード情報及び設定情報（並びに画像又は文書データ）の送信を正常に完了したか否かを判別し（ステップＳ２１１）、ジョブモード情報及び設定情報の送信を正常に完了しなかった場合には（ステップＳ２１１においてＮＯ）、ジョブモード情報及び設定情報の再送回数（以下、「リトライ回数」という。）が、リトライ回数の上限（例えば、５回）に達したか否かを判別する（ステップＳ２１２）。リトライ回数が上限に達していない場合には（ステップＳ２１２においてＮＯ）、ＣＰＵ３１ａは、ステップＳ２１０に処理を戻し、ジョブモード情報及び設定情報送信のリトライを実行する。
【００９８】
他方、リトライ回数が上限に達した場合には（ステップＳ２１２においてＹＥＳ）、ＣＰＵ３１ａは、表示部３２にエラー画面を表示させ（ステップＳ２１３）、ジョブ実行指示処理を終了する。
【００９９】
また、ステップＳ２１１において、ジョブモード情報及び設定情報の送信を正常に完了した場合には（ステップＳ２１１においてＹＥＳ）、ＣＰＵ３１ａは、表示部３２に通信完了画面を表示させ（ステップＳ２１４）、ジョブ実行指示処理を終了する。
【０１００】
ステップＳ２０７において、拒否情報が受信された場合には（ステップＳ２０７においてＮＯ）、ＣＰＵ３１ａは、補助記憶装置３１ｄ（図３参照）に記憶されているジョブモード情報及び設定情報の送信を、近距離無線通信を用いて行う（ステップＳ２１５）。つまり、ステップＳ２１５の処理では、ジョブモード情報及び設定情報が、第１通信インタフェース３１ｆから送信される。また、入力された設定情報がプリントジョブの設定情報である場合（つまり、補助記憶装置３１ｄに記憶されているジョブモード情報がプリントジョブを示すものである場合）、ＣＰＵ３１ａは、ステップＳ２１５の処理において、ジョブモード情報及び設定情報とともに、印刷対象として選択された画像又は文書データを第１通信インタフェース３１ｆに送信させる。
【０１０１】
次にＣＰＵ３１ａは、ジョブモード情報及び設定情報（並びに画像又は文書データ）の送信を正常に完了したか否かを判別し（ステップＳ２１６）、ジョブモード情報及び設定情報の送信を正常に完了しなかった場合には（ステップＳ２１６においてＮＯ）、ジョブモード情報及び設定情報送信のリトライ回数が、リトライ回数の上限に達したか否かを判別する（ステップＳ２１７）。リトライ回数が上限に達していない場合には（ステップＳ２１７においてＮＯ）、ＣＰＵ３１ａは、ステップＳ２１５に処理を戻し、ジョブモード情報及び設定情報送信のリトライを実行する。
【０１０２】
他方、リトライ回数が上限に達した場合には（ステップＳ２１７においてＹＥＳ）、ＣＰＵ３１ａは、表示部３２にエラー画面を表示させ（ステップＳ２１３）、ジョブ実行指示処理を終了する。
【０１０３】
また、ステップＳ２１６において、ジョブモード情報及び設定情報の送信を正常に完了した場合には（ステップＳ２１６においてＹＥＳ）、ＣＰＵ３１ａは、表示部３２に通信完了画面を表示させ（ステップＳ２１４）、ジョブ実行指示処理を終了する。
【０１０４】
図１４Ａ及び図１４Ｂは、ジョブ実行処理の手順を示すフローチャートである。
【０１０５】
図１４Ａに示すように、ジョブ実行処理において、まず制御部２１は、第１通信インタフェース２５，３１ｆ（図２、３参照）間の接続が確立したか否かを判別する（ステップＳ３０１）。第１通信インタフェース２５，３１ｆ間の接続が確立していない場合には（ステップＳ３０１においてＮＯ）、制御部２１は、処理をステップＳ３０１へ戻し、接続が確立するまでステップＳ３０１の処理を繰り返す。
【０１０６】
第１通信インタフェース２５，３１ｆ間の接続が確立した場合には（ステップＳ３０１においてＹＥＳ）、制御部２１は、画像形成装置２が節電モード（画像形成装置２の各機構の動作を休止して消費電力を低減している動作モード）であるか否かを判別し（ステップＳ３０２）、節電モードである場合には（ステップＳ３０２においてＹＥＳ）、節電モードから通常モード（画像形成装置２の各機構が動作可能な動作モード）へと画像形成装置２の各部を復帰させ（ステップＳ３０３）、ステップＳ３０４へと処理を移す。他方、節電モードでない（つまり、通常モードである）場合には（ステップＳ３０２においてＮＯ）、制御部２１は、そのままステップＳ３０４へ処理を移す。
【０１０７】
ステップＳ３０４において、画像形成装置２の第１通信インタフェース２５が、携帯型設定装置３から送信された認証情報を受信する（ステップＳ３０４）。制御部（ユーザ認証部）２１は、受信された認証情報を、認証情報データベース２１ｂに登録されている認証情報と照合するユーザ認証処理を行う（ステップＳ３０５）。ユーザ認証に成功した場合には（ステップＳ３０５において「認証成功」）、制御部２１は、認証成功を示す認証成功情報（ユーザ認証成功通知情報）を第１通信インタフェース２５に送信させ（ステップＳ３０６）、ステップＳ３０８へ処理を移す。
【０１０８】
他方、ユーザ認証に失敗した場合には（ステップＳ３０５において「認証失敗」）、制御部２１は、認証失敗を示す認証失敗情報を第１通信インタフェース２５に送信させ（ステップＳ３０７）、ジョブ実行処理を終了する。
【０１０９】
ステップＳ３０８において、制御部２１は、携帯型設定装置３から送信された高速無線通信が可能か否かの問合せ情報を受け付け（ステップＳ３０８）、図１４Ｂに示すように、高速無線通信が可能か否か、即ち、高速無線通信用の第２通信インタフェース２６（図２参照）を備えているか否かを判別する（ステップＳ３０９）。
【０１１０】
高速無線通信が可能である場合には（ステップＳ３０９においてＹＥＳ）、制御部２１は、高速無線通信接続を許可する許可情報を第１通信インタフェース２５に送信させ（ステップＳ３１０）、引き続き、高速無線通信用の接続情報（ＳＳＩＤ、ＩＰアドレス、パスワード等）を第１通信インタフェース２５に送信させる（ステップＳ３１１）。さらに、制御部２１は、第２通信インタフェース２６，３１ｇ（図２、３参照）間の高速無線通信接続の確立処理を実行し、携帯型設定装置３との間で高速無線通信接続を確立させる（ステップＳ３１２）。
【０１１１】
第２通信インタフェース２６，３１ｇ間で高速無線通信接続が確立すると、携帯型設定装置３から高速無線通信により送信されたジョブモード情報及び設定情報を第２通信インタフェース２６が受信する（ステップＳ３１３）。また、受信されたジョブモード情報がプリントジョブを示すものである場合、ステップＳ３１３の処理において、ジョブモード情報及び設定情報だけでなく、印刷対象の画像又は文書データが第２通信インタフェース２６によって受信される。
【０１１２】
次に制御部２１は、ジョブモード情報及び設定情報（並びに画像又は文書データ）の受信を正常に完了したか否かを判別し（ステップＳ３１４）、ジョブモード情報及び設定情報の受信を正常に完了しなかった場合には（ステップＳ３１４においてＮＯ）、ジョブモード情報及び設定情報の受信のリトライ回数が、リトライ回数の上限（例えば、５回）に達したか否かを判別する（ステップＳ３１５）。リトライ回数が上限に達していない場合には（ステップＳ３１５においてＮＯ）、ＣＰＵ３１ａは、ステップＳ３１３に処理を戻し、ジョブモード情報及び設定情報受信のリトライを実行する。
【０１１３】
他方、リトライ回数が上限に達した場合には（ステップＳ３１５においてＹＥＳ）、制御部２１は、ジョブ実行処理を終了する。
【０１１４】
また、ステップＳ３１４において、ジョブモード情報及び設定情報の受信を正常に完了した場合には（ステップＳ３１４においてＹＥＳ）、制御部２１は、ステップＳ３２０へ処理を移す。
【０１１５】
ステップＳ３０９において、高速無線通信が可能でない場合には（ステップＳ３０９においてＮＯ）、制御部２１は、高速無線通信接続を拒否する拒否情報を第１通信インタフェース２５に送信させる（ステップＳ３１６）。さらに、携帯型設定装置３から近距離無線通信により送信されたジョブモード情報及び設定情報を第１通信インタフェース２５が受信する（ステップＳ３１７）。また、受信されたジョブモード情報がプリントジョブを示すものである場合、ステップＳ３１７の処理において、ジョブモード情報及び設定情報だけでなく、印刷対象の画像又は文書データが第１通信インタフェース２５によって受信される。
【０１１６】
次に制御部２１は、ジョブモード情報及び設定情報（並びに画像又は文書データ）の受信を正常に完了したか否かを判別し（ステップＳ３１８）、ジョブモード情報及び設定情報の受信を正常に完了しなかった場合には（ステップＳ３１８においてＮＯ）、ジョブモード情報及び設定情報の受信のリトライ回数が、リトライ回数の上限に達したか否かを判別する（ステップＳ３１９）。リトライ回数が上限に達していない場合には（ステップＳ３１９においてＮＯ）、制御部２１は、ステップＳ３１７に処理を戻し、ジョブモード情報及び設定情報受信のリトライを実行する。
【０１１７】
他方、リトライ回数が上限に達した場合には（ステップＳ３１９においてＹＥＳ）、制御部２１は、ジョブ実行処理を終了する。
【０１１８】
また、ステップＳ３１８において、ジョブモード情報及び設定情報の受信を正常に完了した場合には（ステップＳ３１８においてＹＥＳ）、制御部２１は、受信されたジョブモード情報がどの種類のジョブを示しているかを判断し（ステップＳ３２０）、ジョブモード情報によって示される種類のジョブを、受信された設定情報にしたがって開始する（ステップＳ３２１）。つまり、ジョブモード情報がコピージョブを示す情報である場合には、受信されたコピージョブ用の設定情報にしたがって、画像読取ユニット２２、自動原稿送りユニット２３、及び画像形成ユニット２４が制御されて、画像読取ユニット２２によって原稿から画像が読み取られ、画像形成ユニット２４によって画像が記録用紙に印刷される（図２参照）。また、ジョブモード情報がプリントジョブを示す情報である場合には、受信されたプリントジョブ用の設定情報にしたがって、画像形成ユニット２４が制御されて、携帯型設定装置３から送信された画像又は文書データから生成された画像が、画像形成ユニット２４によって記録用紙に印刷される。また、ジョブモード情報がファイリングジョブを示す情報である場合には、受信されたファイリングジョブ用の設定情報にしたがって、画像読取ユニット２２及び自動原稿送りユニット２３が制御されて、画像読取ユニット２２によって原稿から画像が読み取られ、この画像が、設定情報に含まれる保存先情報によって示される保存先のフォルダに格納される。また、ジョブモード情報がイメージ送信ジョブを示す情報である場合には、受信されたイメージ送信ジョブ用の設定情報にしたがって、画像読取ユニット２２及び自動原稿送りユニット２３が制御されて、画像読取ユニット２２によって原稿から画像が読み取られ、この画像が、設定情報に含まれるアドレスへと送信される。
【０１１９】
ジョブの実行を完了すると、制御部２１は、ジョブ実行処理を終了する。
【０１２０】
上述の如く構成したことにより、ユーザは新たなジョブの設定情報を、画像形成装置２から離れた場所で携帯型設定装置３に入力することができる。したがって、どのような設定でジョブを実行する場合においても、予め携帯型設定装置３に設定情報を入力しておくことができる。
【０１２１】
また、画像形成装置２と携帯型設定装置３とが近接無線通信接続の確立をトリガーとして、自動的に設定情報の送受信が行われ、ジョブが開始されるので、画像形成装置２の設置場所においてユーザに必要な作業は、携帯型設定装置３を画像形成装置２にかざすこと、及び原稿が必要なジョブにあっては原稿を画像読取ユニット２２の原稿台ガラス上又は自動原稿送りユニット２３に載置することだけであり、ユーザによる画像形成装置２の占有時間を抑制することが可能となる。
【０１２２】
また、設定情報の送受信に近接無線通信を利用しているので、ユーザはジョブを開始する際に画像形成装置２の設置場所にいる必要がある。このため、ジョブが実行されるときには、必ずユーザが画像形成装置２のそばにいることとなり、印刷物の取り忘れが防止される。
【０１２３】
また、ユーザが携帯型設定装置３を画像形成装置２にかざすだけで、自動的にジョブが開始されるため、ユーザはジョブの実行開始を指示するために画像形成装置２を操作する必要がない。
【０１２４】
また、携帯型設定装置３からユーザの認証情報が送信され、この認証情報によって画像形成装置２においてユーザ認証が行われるため、ユーザが画像形成装置２を使用するためにユーザ名及びパスワードを画像形成装置２に入力する必要がなく、ユーザによる画像形成装置２の占有時間をより一層抑制することが可能となる。
【０１２５】
また、高速無線通信が可能な場合には、ジョブモード情報及び設定情報が高速無線通信によって携帯型設定装置３から画像形成装置２へ送信されるため、短時間でジョブモード情報及び設定情報の送信が完了する。したがって、ユーザによる画像形成装置２の占有時間をより一層抑制することが可能となる。
【０１２６】
（その他の実施の形態）
なお、上述した実施の形態においては、画像形成装置２及び携帯型設定装置３が、近距離無線通信用の第１通信インタフェース２５，３１ｆと、高速無線通信用の第２通信インタフェース２６，３１ｇとを備え、認証情報の送受信には近距離無線通信を使用し、ジョブモード情報及び設定情報の送受信には高速無線通信を使用する構成について述べたが、これに限定されるものではない。画像形成装置及び携帯型設定装置に、高速無線通信用の第２通信インタフェースを設けず、認証情報、ジョブモード情報及び設定情報の全てを近距離無線通信によって画像形成装置と携帯型設定装置との間で送受信する構成とすることも可能である。
【０１２７】
また、上述した実施の形態においては、画像形成装置２をデジタル複合機とした構成について述べたが、これに限定されるものではない。画像形成装置２を、コピー機能のみを有する複写機とすることも可能であるし、コピー、プリント、イメージ送信、ファイリングのうちの１又は２の機能（例えば、イメージ送信機能）を有しないデジタル複合機とすることも可能である。
【０１２８】
また、上述した実施の形態においては、携帯型設定装置３が、コピージョブの設定情報として、ページ集約設定、モノクロ／カラー印刷設定、片面／両面印刷設定、及び片面／両面原稿設定に関する情報の入力を受け付ける構成について述べたが、これに限定されるものではない。コピージョブの設定に関する情報であれば、上記以外の情報を含めることも可能である。例えば、印刷部数、白紙飛ばし、ヘッダ／フッタ、仕上げ設定などの設定に関する情報を、設定情報として携帯型設定装置３に入力可能とすることもできる。プリントジョブの設定情報、ファイリングジョブの設定情報、及びイメージ送信ジョブの設定情報についても同様である。
【０１２９】
また、上述した実施の形態においては、ユーザが携帯型設定装置３を画像形成装置２にかざしたときに、携帯型設定装置３から認証情報を送信し、画像形成装置２によって前記認証情報を用いたユーザ認証を行い、ユーザ認証に成功した場合に、携帯型設定装置３から画像形成装置２に設定情報を送信し、画像形成装置２において前記設定情報に基づいてジョブを実行する構成について述べたが、これに限定されるものではない。画像形成装置がユーザ認証を必要としない設定となっている場合、又は画像形成装置がユーザ認証の機能を有していない場合には、ユーザが携帯型設定装置３を画像形成装置にかざしたときに、携帯型設定装置３が認証情報を送信することなく設定情報を送信し、画像形成装置２においてユーザ認証を行うことなくジョブを実行する構成とすることも可能である。
【産業上の利用可能性】
【０１３０】
本発明の画像形成システム、携帯型設定装置、及びコンピュータプログラムは、原稿から画像を読み取り、読み取られた画像を記録媒体に形成する画像形成システム、当該画像形成システムに使用される携帯型設定装置及びコンピュータプログラムとして有用である。
【符号の説明】
【０１３１】
１  画像形成システム
２  画像形成装置
２１  制御部
２１ｂ  認証情報データベース
２５  第１通信インタフェース
２６  第２通信インタフェース
３  携帯型設定装置
３０  携帯情報端末
３１ａ  ＣＰＵ
３１ｄ  補助記憶装置
３１ｆ  第１通信インタフェース
３１ｇ  第２通信インタフェース
３２  表示部
３３  入力部
３４  認証情報
３５  コンピュータプログラム
【図１】
2015007857.tif 000003
【図２】
2015007857.tif 000004
【図３】
2015007857.tif 000005
【図４】
2015007857.tif 000006
【図５】
2015007857.tif 000007
【図６】
2015007857.tif 000008
【図７Ａ】
2015007857.tif 000009
【図７Ｂ】
2015007857.tif 000010
【図７Ｃ】
2015007857.tif 000011
【図７Ｄ】
2015007857.tif 000012
【図８】
2015007857.tif 000013
【図９】
2015007857.tif 000014
【図１０】
2015007857.tif 000015
【図１１】
2015007857.tif 000016
【図１２】
2015007857.tif 000017
【図１３Ａ】
2015007857.tif 000018
【図１３Ｂ】
2015007857.tif 000019
【図１４Ａ】
2015007857.tif 000020
【図１４Ｂ】
2015007857.tif 000021